(57)【要約】【課題】収容箱内に収容した電子ユニットが発生した熱を外部に容易に放熱することを可能とする電気接続箱を提供する。【解決手段】電気接続箱１は収容箱２と該収容箱２に収容した電子ユニットとしてのＥＣＵ３ａを備えている。収容箱２は電子ユニット３ａを取り付ける取付部９ａを備えている。取付部９ａを構成し外部に露出する外壁１４には密着壁部１５が設けられている。密着壁部１５は弾性支持部１６に変位自在に設けられている。密着壁部１５は弾性支持部１６が弾性変形していない中立状態である時に表面１５ａが外壁１４の内面１４ａより取付部９ａの内側に突出している。密着壁部１５は取付部９ａにＥＣＵ３ａが挿入されると取付部９ａの外側に変位してＥＣＵ３ａの外表面に密着する。【選択図】図５
2007006605.tif 000002
【特許請求の範囲】
【請求項１】
電子ユニットと、
前記電子ユニットが取り付けられる取付部を有した収容箱と、を備えた電気接続箱において、
前記収容箱の外側に露出するとともに前記取付部を構成する外壁に設けられ、かつ前記取付部の内側に向かって凸でかつ前記取付部の外側に変位自在に設けられているとともに、電子ユニットが重ねられて前記取付部の外側に変位する密着壁部を備えたことを特徴とする電気接続箱。
【請求項２】
前記取付部は、前記密着壁部と、前記電子ユニットの前記密着壁部に重なる外表面との双方に沿って、前記電子ユニットをスライドさせることで、該電子ユニットを取り付けることを特徴とする請求項１記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１に示された電気接続箱は、外郭を形成する収容箱と、収容箱に収容する電子ユニットとしてのＥＣＵ（Electronic Control Unit）とを備えている。収容箱は、互いに着脱自在なロアカバーと、アッパカバーとを備えている。ロアカバーと、アッパカバーは、互いに取り付けられると、互いの間を水密に保つ。則ち、収容箱は、ロアカバーとアッパカバーとが互いに取り付けられると、内側に外部の水などの液体が浸入することを防止する。
【０００６】
ＥＣＵは、ケースと、該ケース内に収容される印刷配線板などを備えている。ケースには、コネクタが設けられている。コネクタの端子は、印刷配線板の配線パターンと電気的に接続している。印刷配線板には、発熱素子としての周知のＣＰＵなどの電子部品が実装されている。ＥＣＵは、コネクタに前記収容箱内に侵入したワイヤハーネスのコネクタが嵌合する。ＥＣＵは、ワイヤハーネスの電線と前述した電子部品とを予め定められたパターン通りに電気的に接続する。
【特許文献１】特開２００１−１８６６２９号公報
【発明の開示】
【発明が解決しようとする課題】
【０００７】
前述した従来の電気接続箱は、収容箱を水密構造にするので、該収容箱内にＥＣＵを収容すると、該ＥＣＵのＣＰＵなどが発生する熱を、収容箱則ち電気接続箱外に逃がす（放熱）ことが困難であった。
【０００８】
したがって、本発明の目的は、収容箱内に収容した電子ユニットが発生した熱を外部に容易に放熱することを可能とする電気接続箱を提供することにある。
【課題を解決するための手段】
【０００９】
前記課題を解決し目的を達成するために、請求項１に記載の本発明の電気接続箱は、電子ユニットと、前記電子ユニットが取り付けられる取付部を有した収容箱と、を備えた電気接続箱において、前記収容箱の外側に露出するとともに前記取付部を構成する外壁に設けられ、かつ前記収容箱の内側に向かって凸でかつ前記収容箱の外側に変位自在に設けられているとともに、電子ユニットが重ねられて前記収容箱の外側に変位する密着壁部を備えたことを特徴としている。
【００１０】
請求項２に記載の本発明の電気接続箱は、請求項１記載の電気接続箱において、前記取付部は、前記密着壁部と、前記電子ユニットの前記密着壁部に重なる外表面との双方に沿って、前記電子ユニットをスライドさせることで、該電子ユニットを取り付けることを特徴としている。
【００１１】
請求項１に記載した本発明の電気接続箱によれば、取付部に内側に向かって凸に形成され、かつ外側に変位する方向に弾性変形自在な密着壁部が設けられている。このため、取付部に電子ユニットを取り付けると、密着壁部が外側に変位するとともに、該密着壁部に電子ユニットが密着する。
【００１２】
請求項２に記載した本発明の電気接続箱によれば、密着壁部と電子ユニットの外表面との双方に沿って、スライドさせて電子ユニットを取付部に取り付けるので、取付部に電子ユニットを取り付けると、該密着壁部に該電子ユニットが確実に密着する。
【発明の効果】
【００１３】
以上説明したように請求項１に記載の本発明は、電子ユニットが密着する密着壁部が外側に露出するので、電子ユニットが発生する熱を密着壁部を通して、外部に確実に放熱できる。
【００１４】
請求項２に記載の本発明は、密着壁部に電子ユニットが確実に密着するので、電子ユニットが発生した熱を密着壁部を通して外部に確実に放熱できる。
【発明を実施するための最良の形態】
【００１５】
以下、本発明の一実施形態にかかる電気接続箱を、図１ないし図６に基づいて説明する。
【００１６】
本実施形態にかかる図１に示す電気接続箱１は、移動体としての自動車に搭載される。電気接続箱１は、図１ないし図３に示すように、収容箱２と、収容箱２に収容する電子ユニットとしてのＥＣＵ（Electronic Control Unit）３ａ，３ｂとを備えている。
【００１７】
収容箱２は、互いに着脱自在なロアカバー４と、アッパカバー（図示せず）とを備えている。ロアカバー４とアッパカバーとは、それぞれ、絶縁性の合成樹脂からなり、周知の射出成形により成形される。ロアカバー４は、図２及び図４に示すように、底壁５と、該底壁５の外縁から立設した複数の周壁６と、を備えて、箱状に形成されている。アッパカバーは、複数の外壁により、箱状に形成されている。
【００１８】
ロアカバー４と、アッパカバーは、互いに取り付けられると、互いの間を水密に保つ。則ち、収容箱２は、ロアカバー４とアッパカバーとが互いに取り付けられると、内側に外部の水などの液体が浸入することを防止する。また、ロアカバー４とアッパカバーとの内側則ち収容箱２内には、外部からワイヤハーネスの端末などに取り付けられたコネクタが導かれる。ロアカバー４には、前述したワイヤハーネスの端末などを通す切欠き７が設けられている。
【００１９】
ＥＣＵ３ａ，３ｂは、図示例では、一対設けられている。ＥＣＵ３ａ，３ｂは、図１ないし図３に示すように、ケース８と、該ケース８内に収容される印刷配線板などを備えている。ケース８には、コネクタが設けられている。コネクタの端子は、印刷配線板の配線パターンと電気的に接続している。印刷配線板には、発熱素子としての周知のＣＰＵなどの電子部品が実装されている。ＥＣＵ３ａ，３ｂは、コネクタに前記収容箱２内に侵入したワイヤハーネスのコネクタが嵌合する。ＥＣＵ３ａ，３ｂは、ワイヤハーネスの電線と前述した電子部品とを予め定められたパターン通りに電気的に接続する。
【００２０】
前述したロアカバー４は、更に、一対の取付部９ａ，９ｂを備えている。一方の取付部９ａは、図２及び図４に示すように、平面形状が矩形状の底板部１０と、該底板部１０の外縁から立設した角筒部１１と、を備えている。角筒部１１は、ロアカバー４の底壁５を貫通している。底板部１０は、角筒部１１のロアカバー４の外側に位置する端部を塞いでいる。
【００２１】
このため、一方の取付部９ａは、ロアカバー４の内側と外側とを連通していない。一方の取付部９ａは、ＥＣＵ３ａがその長手方向（則ち、後述の密着壁部１５とＥＣＵ３ａの密着壁部１５に重なる外表面）に沿ってスライドされることで、挿入される。一方の取付部９ａは、ＥＣＵ３ａを収容することで、該ＥＣＵ３ａを取り付ける。このように、一方の取付部９ａは、筒状に形成されることで、ＥＣＵ３ａをスライドさせて該ＥＣＵ３ａを取り付ける。なお、この一方の取付部９ａは、特許請求の範囲に記載された取付部をなしている。
【００２２】
他方の取付部９ｂは、図２及び図４に示すように、底壁５からアッパカバーに向かって立設した筒部１２と、該筒部１２のアッパカバー寄りの端部を塞いだ天井板部１３と、を備えて、有底筒状に形成されている。筒部１２は、ロアカバー４則ち電気接続箱１の外側と連通している。則ち、筒部１２は、ロアカバー４を貫通している。また、天井板部１３が筒部１２のアッパカバー寄りの端部を塞いでいるので、他方の取付部９ｂは、ロアカバー４の内側と外側とを連通していない。他方の取付部９ｂは、天井板部１３のアッパカバー寄りの表面にＥＣＵ３ｂが重ねられて、該ＥＣＵ３ｂを取り付ける。
【００２３】
さらに、電気接続箱１は、密着壁部１５を備えている。密着壁部１５は、図４に示すように、前述した一方の取付部９ａの角筒部１１のロアカバー４則ち収容箱２の外側に露出する一つの外壁１４に設けられている。密着壁部１５は、前述した外壁１４と一体に形成され、該外壁１４より薄い平板状に形成されている。密着壁部１５の平面形状は、矩形状である。密着壁部１５は、該密着壁部１５の外縁に設けられた弾性支持部１６によって、外壁１４則ち密着壁部１５の表面に直交する方向に変位自在に設けられている。
【００２４】
密着壁部１５は、弾性支持部１６が弾性変形していない中立状態で、図６に示すように、前記取付部９ａの内側寄りの表面１５ａが前述した取付部９ａの外壁１４の内面１４ａより取付部９ａの内側に突出する。さらに、密着壁部１５は、一方の取付部９ａ内にＥＣＵ３ａが挿入されると、該ＥＣＵ３ａから押圧される。そして、密着壁部１５は、取付部９ａの外側に変位して、図５に示すように、このＥＣＵ３ａが重なる。このように、密着壁部１５は、弾性支持部１６により収容箱２の外側に変位する方向に弾性変形自在となっている。また、密着壁部１５の取付部９ａの内側に位置する外縁部には、図６に示すように、全周に亘って断面円弧状の面取り部１７が形成されている。
【００２５】
弾性支持部１６は、密着壁部１５の外縁と取付部９ａの一つの外壁１４との双方に連なっているとともに、これらと一体に形成されている。弾性支持部１６は、密着壁部１５と取付部９ａの一つの外壁１４との双方より厚みが薄く形成されていることで、弾性変形自在となっている。弾性支持部１６は、弾性変形することで、前述した密着壁部１５を変位させる。
【００２６】
前述した電気接続箱１は、以下のように組み立てられる。まず、収容箱２のロアカバー４の一方の取付部９ａにＥＣＵ３ａを挿入する。なお、ＥＣＵ３ａの挿入前では、密着壁部１５は、図６に示すように、その表面１５ａが取付部９ａの前述した一つの外壁１４の内面１４ａより取付部９ａの内側に突出している。ＥＣＵ３ａを取付部９ａ内に挿入していくと、該ＥＣＵ３ａが前述した面取り部１７に当接する。
【００２７】
さらに、ＥＣＵ３ａを取付部９ａの奥に挿入すると、該ＥＣＵ３ａによって、密着壁部１５が取付部９ａの外側に向かって押圧されて、弾性支持部１６が弾性変形して、密着壁部１５が取付部９ａの外側に変位する。こうして、一方の取付部９ａにＥＣＵ３ａを挿入して、該ＥＣＵ３ａを取付部９ａ則ち収容箱２のロアカバー４に取り付ける。すると、図５のように、弾性支持部１６が弾性変形するので、密着壁部１５がＥＣＵ３ａの外表面と密着する。
【００２８】
そして、他方の取付部９ｂにＥＣＵ３ｂを更に取り付ける。そして、切欠き７を通してワイヤハーネスの端末をロアカバー４内に導いて、該ワイヤハーネスの端末に設けられたコネクタをＥＣＵ３ａ，３ｂのコネクタに嵌合させる。その後、ロアカバー４にアッパカバーを取り付ける。こうして、前述した電気接続箱１が組み立てられる。組み立てられた電気接続箱１は、ワイヤハーネスとともに自動車に取り付けられる。
【００２９】
本実施形態によれば、取付部９ａに内側に向かって凸に形成され、かつ外側に変位する方向に弾性変形自在な密着壁部１５が設けられている。このため、取付部９ａにＥＣＵ３ａを取り付けると、密着壁部１５が外側に変位するとともに、該密着壁部１５にＥＣＵ３ａが密着する。
【００３０】
このように、ＥＣＵ３ａが密着する密着壁部１５が電気接続箱１則ち収容箱２の外側に露出するので、ＥＣＵ３ａが発生する熱を密着壁部１５を通して、外部に確実に放熱できる。
【００３１】
密着壁部１５とＥＣＵ３ａの外表面との双方に沿って、スライドさせてＥＣＵ３ａを取付部９ａに取り付けるので、取付部９ａにＥＣＵ３ａを取り付けると、該密着壁部１５に該ＥＣＵ３ａが確実に密着する。このため、ＥＣＵ３ａが発生した熱を密着壁部１５を通して外部に確実に放熱できる。
【００３２】
前述した実施形態では、電子ユニットとしてＥＣＵ３ａ，３ｂを示している。本発明では、ＥＣＵ３ａ，３ｂに限らず電子ユニットとして、所謂ヒューズブロックやジャンクションブロックなどの他の電子機器を用いても良い。
【００３３】
また、前述した実施形態では、取付部９ａの外壁１４と密着壁部１５と弾性支持部１６とを一体に形成している。しかしながら、本発明では、取付部９ａの外壁１４と密着壁部１５と弾性支持部１６とを別体に形成しても良い。
【００３４】
さらに、本発明では、密着壁部１５に該密着壁部１５から電気接続箱１則ち収容箱２の外側に延びた放熱用のフィンなどの突起を設けても良い。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３６】
【図１】本発明の一実施形態に係る電気接続箱の斜視図である。
【図２】図１中のＩＩ−ＩＩ線に沿った断面を示す斜視図である。
【図３】図１に示された電気接続箱の分解斜視図である。
【図４】図３中のＩＶ−ＩＶ線に沿った断面を示す斜視図である。
【図５】図２中のＶ部の断面を拡大して示す斜視図である。
【図６】図４中のＶＩ部の断面を拡大して示す斜視図である。
【符号の説明】
【００３７】
１  電気接続箱
２  収容箱
３ａ  ＥＣＵ（電子ユニット）
９ａ  取付部
１４  外壁
１５  密着壁部
【図１】
2007006605.tif 000003
【図２】
2007006605.tif 000004
【図３】
2007006605.tif 000005
【図４】
2007006605.tif 000006
【図５】
2007006605.tif 000007
【図６】
2007006605.tif 000008